(57)【要約】【課題】情報家電機器においても住戸機向けのウェブコンテンツを容易に表示可能とする。【解決手段】住戸機Ａｉの住戸機制御部１はウェブブラウザだけでなくウェブサーバも搭載している。そして、住戸機制御部１のウェブサーバにより、住戸機向けのウェブコンテンツが当該住戸機ＡｉのネットワークＩ／Ｆ部８からＬＡＮケーブルＬｘを介して情報家電機器Ｘｉに配信される。故に、情報家電機器Ｘｉが当該ウェブコンテンツを保有するサーバ装置Ｓに直接アクセスしなくても、情報家電機器Ｘｉにて住戸機向けのウェブコンテンツを取得して表示することができる。【選択図】        図１
2010177818.tif 000002
【特許請求の範囲】
【請求項１】
集合住宅の共用玄関に設置された共同玄関子機と、集合住宅の各住戸内に設置された住戸機と、共同玄関子機に接続された幹線と、幹線から分岐されて各住戸の住戸機に接続される住戸線と、住戸線並びに幹線を通じて住戸機を広域ネットワークに接続するネットワーク機器とを備え、共同玄関子機と住戸機との間で行う音声通話の音声情報と、共同玄関子機が具備する撮像手段で撮像され且つ住戸機が具備する表示手段で表示される映像の映像情報と、ネットワーク機器を通じて広域ネットワークから受け取るウェブコンテンツのコンテンツ情報とが幹線並びに住戸線を介してデジタル多重伝送される集合住宅用インターホンシステムにおいて、
住戸機は、前記表示手段と、住戸線並びに幹線を通じてデジタル多重伝送を行う第１の伝送手段と、住戸線とは別に設けられた通信線を通じて当該住戸内に設置されている情報家電機器に接続され且つ当該通信線を通じて情報を伝送する第２の伝送手段と、第１の伝送手段によって取得したウェブコンテンツを記憶する記憶手段と、記憶手段に記憶されているウェブコンテンツを読み出して表示手段に表示させるとともに当該記憶手段に記憶されているウェブコンテンツのコンテンツ情報を第２の伝送手段によって情報家電機器に伝送させる制御手段とを具備することを特徴とする集合住宅用インターホンシステム。
【請求項２】
前記第２の伝送手段は、住戸線とは別に設けられた通信線を通じて広域ネットワークに接続され且つ当該通信線を通じて情報を伝送してなり、
前記制御手段は、記憶手段に記憶されているウェブコンテンツ以外のウェブコンテンツを第２の伝送手段によって取得することを特徴とする請求項１記載の集合住宅用インターホンシステム。
【請求項３】
前記制御手段は、第２の伝送手段によって前記ウェブコンテンツが取得できない場合に第１の伝送手段によって当該ウェブコンテンツを取得することを特徴とする請求項２記載の集合住宅用インターホンシステム。
【発明の詳細な説明】
【技術分野】
【０００１】
本発明は、集合住宅用インターホンシステムに関するものである。
【背景技術】
【０００２】
従来の集合住宅用インターホンシステムとして、特許文献１に記載されているものがある。
【０００３】
この従来システムは、集合住宅の共同玄関（ロビー）に設けられるロビーインターホン、管理人室等に設置されて当該システム全体を制御するための中央制御装置、集合住宅の各住戸に設置される住戸機（インターホン親機）及びドアホン子器等から構成される。
【０００４】
この従来例での映像・音声通信は、インターホン親機とロビーインターホンとの間、インターホン親機と中央制御装置との間、更にはロビーインターホンと中央制御装置との間で、同一の信号線（一対のペア線）上にＩＰプロトコルによるデジタル多重パケット伝送方式により行われる。さらに本従来例では、ゲートウェイを介して中央制御装置や各住戸のインターホン親機を外部の広域ネットワーク（インターネットやＶＰＮ＜バーチャル・プライベート・ネットワーク＞など）に接続し、広域ネットワーク上のサーバに保存されている種々の情報（ウェブコンテンツ）をゲートウェイを介して中央制御装置やインターホン親機が取得し、インターホン親機のモニタ（液晶ディスプレイなど）に当該ウェブコンテンツを表示することで様々なサービスを提供している。
【０００５】
ここで、ウェブコンテンツの一例としてＨＴＭＬ（ハイパー・テキスト・マークアップ・ランゲージ）で記述されたウェブページがある。この種のウェブページは複数のウェブページ同士がリンクしており、一のウェブページ内に他のウェブページにリンクするアドレス（リンク先アドレス）が記述されている。そして、通常のウェブコンテンツは、互いにリンクする複数のウェブページ（ＨＴＭＬファイル）の階層構造を有している。
【０００６】
特許文献１に記載されている従来例においては、広域ネットワークを通じて提供されるウェブコンテンツを予めインターホン親機のメモリに格納しておき、住人がインターホン親機に対して所定の操作を行ったときに前記メモリに格納しておいたウェブコンテンツをウェブブラウザで実行することにより文字や画像あるいは音声などを含むウェブコンテンツをモニタに表示するようになっている。
【先行技術文献】
【特許文献】
【０００７】
【特許文献１】特開２００２−４４２６９号公報
【発明の概要】
【発明が解決しようとする課題】
【０００８】
近年、ネットワーク通信機能を備えた情報家電機器（例えば、ネットワーク通信によって取得したウェブコンテンツの表示機能を有するテレビ受像機や冷蔵庫など）が増えてきている。しかしながら、インターホン親機向けに配信されるウェブコンテンツを情報家電機器で取得して表示しようとした場合、当該ウェブコンテンツを保有するサーバにおいて当該情報家電機器を認証する作業が必要となって使い勝手がよくなかった。
【０００９】
本発明は上記事情に鑑みて為されたものであり、その目的は、情報家電機器においても住戸機向けのウェブコンテンツが容易に表示できる集合住宅用インターホンシステムを提供することにある。
【課題を解決するための手段】
【００１０】
請求項１の発明は、上記目的を達成するために、集合住宅の共用玄関に設置された共同玄関子機と、集合住宅の各住戸内に設置された住戸機と、共同玄関子機に接続された幹線と、幹線から分岐されて各住戸の住戸機に接続される住戸線と、住戸線並びに幹線を通じて住戸機を広域ネットワークに接続するネットワーク機器とを備え、共同玄関子機と住戸機との間で行う音声通話の音声情報と、共同玄関子機が具備する撮像手段で撮像され且つ住戸機が具備する表示手段で表示される映像の映像情報と、ネットワーク機器を通じて広域ネットワークから受け取るウェブコンテンツのコンテンツ情報とが幹線並びに住戸線を介してデジタル多重伝送される集合住宅用インターホンシステムにおいて、住戸機は、前記表示手段と、住戸線並びに幹線を通じてデジタル多重伝送を行う第１の伝送手段と、住戸線とは別に設けられた通信線を通じて当該住戸内に設置されている情報家電機器に接続され且つ当該通信線を通じて情報を伝送する第２の伝送手段と、第１の伝送手段によって取得したウェブコンテンツを記憶する記憶手段と、記憶手段に記憶されているウェブコンテンツを読み出して表示手段に表示させるとともに当該記憶手段に記憶されているウェブコンテンツのコンテンツ情報を第２の伝送手段によって情報家電機器に伝送させる制御手段とを具備することを特徴とする。
【００１１】
請求項１の発明によれば、住戸機向けのウェブコンテンツが当該住戸機の第２の伝送手段から通信線を介して情報家電機器に伝送されるので、当該ウェブコンテンツを保有するサーバにアクセスしなくても情報家電機器にて住戸機向けのウェブコンテンツを取得して表示することができる。
【００１２】
請求項２の発明は、請求項１の発明において、前記第２の伝送手段は、住戸線とは別に設けられた通信線を通じて広域ネットワークに接続され且つ当該通信線を通じて情報を伝送してなり、前記制御手段は、記憶手段に記憶されているウェブコンテンツ以外のウェブコンテンツを第２の伝送手段によって取得することを特徴とする。
【００１３】
請求項２の発明によれば、住戸機の記憶手段に予め格納されているウェブコンテンツ以外のウェブコンテンツを表示手段に表示させる場合、第２の伝送手段が住戸線及び幹線ではなく通信線を通じて当該ウェブコンテンツを取得するので、全てのウェブコンテンツを住戸線及び幹線を介して取得していた従来例と比較して、予め取得されていないウェブコンテンツの表示に要する時間を短縮することができる。
【００１４】
請求項３の発明は、請求項２の発明において、前記制御手段は、第２の伝送手段によって前記ウェブコンテンツが取得できない場合に第１の伝送手段によって当該ウェブコンテンツを取得することを特徴とする。
【００１５】
請求項３の発明によれば、何らかの原因で第２の伝送手段がウェブコンテンツを取得できない場合に第１の伝送手段によって当該ウェブコンテンツを取得するので、ウェブコンテンツが表示できないという事態を回避して使い勝手が向上する。
【発明の効果】
【００１６】
本発明によれば、情報家電機器においても住戸機向けのウェブコンテンツが容易に表示できる。
【図面の簡単な説明】
【００１７】
【図１】本発明の実施形態を示すシステム構成図である。
【図２】同上における住戸機のブロック図である。
【図３】同上におけるウェブコンテンツの説明図である。
【図４】同上において住戸機でウェブコンテンツを閲覧する場合の動作説明用のシーケンス図である。
【図５】同上において情報家電機器でウェブコンテンツを閲覧する場合の動作説明用のシーケンス図である。
【発明を実施するための形態】
【００１８】
以下、図面を参照して本発明の実施形態を詳細に説明する。
【００１９】
本実施形態の集合住宅用インターホンシステムは、図１に示すように集合住宅の共用玄関（ロビー）に設置された共同玄関子機（ロビーインターホン）ＬＩと、集合住宅の各住戸内に設置された住戸機Ａｉ（ｉ＝１，２，…，ｎ）と、各住戸の外玄関に設置され且つ通話線Ｌｃを介して住戸内に設置されている住戸機Ａｉと接続されたドアホン子器Ｂｉ（ｉ＝１，２，…，ｎ）と、ロビーインターホンＬＩに接続された幹線Ｌｓと、幹線Ｌｓから分岐されて各住戸の住戸機Ａｉに接続される住戸線Ｌｄｉ（ｉ＝１，２，…，ｎ）と、住戸線Ｌｄｉ並びに幹線Ｌｓを通じて住戸機Ａｉを広域ネットワーク（専用回線網）ＮＷ１に接続するネットワーク機器（ゲートウェイ）ＧＷと、幹線Ｌｓに接続され、後述するように本システム全体の制御を行う制御装置ＣＴと、集合住宅の各住戸に配信されるウェブコンテンツを保有するサーバ装置Ｓとを備えている。
【００２０】
住戸機Ａｉは、図２に示すようにマイクロコンピュータを主構成要素とする住戸機制御部１と、通話用のマイクロホン２ａ及びスピーカ２ｂと、マイクロホン２ａで集音した音声信号並びにスピーカ２ｂへ出力する音声信号を信号処理する音声処理部２ｃと、液晶ディスプレイなどの表示デバイスと当該表示デバイスを駆動するドライバ回路などを有する表示部３と、住戸機制御部１から受け取った映像信号を信号処理して表示部３に映像を表示させる映像処理部４と、電気的に書換可能な不揮発性の半導体メモリ（フラッシュメモリなど）からなる記憶部５と、表示デバイスに設けられたタッチパネルや押釦スイッチなどを有し種々の操作入力を受け付ける操作入力受付部６と、後述するように住戸線Ｌｄｉを介して音声情報や映像情報、制御情報、コンテンツ情報を伝送（従来例で説明したデジタル多重伝送）する第１の伝送手段たる住戸線インタフェース（Ｉ／Ｆ）部７と、通信線たるＬＡＮケーブル（エンハンストカテゴリ５あるいはカテゴリ６のツイストペアケーブルなど）Ｌｘを介してデータ伝送を行う第２の伝送手段たるネットワークインタフェース（Ｉ／Ｆ）部８と、ドアホン子器Ｂｉとの間で信号線Ｌｃを介して音声情報や映像情報を伝送するための子器インタフェース（Ｉ／Ｆ）部９とを具備している。
【００２１】
ドアホン子器Ｂｉは従来周知のものであって、図示は省略するが、来訪者を撮像する撮像手段と、マイクロホン及びスピーカと、来訪者の呼出操作を受け付ける呼出釦と、信号線Ｌｃを介して呼出信号並びに撮像手段から出力される映像信号を送信するとともに住戸機Ａｉとの間で音声信号を送受信する通信手段とを具備している。すなわち、呼出釦が操作されると通信手段が信号線Ｌｃを介して呼出信号を送信するとともに撮像手段から出力される映像信号を送信する。そして、住戸機Ａｉでは信号線Ｌｃを介して送信された呼出信号及び映像信号が子器Ｉ／Ｆ部９で受信されると、住戸機制御部１が音声処理部２ｃを制御してスピーカ２ｂから呼出音を鳴動させるとともに、映像処理部４に映像信号を出力して表示部３に来訪者の映像を表示させる。呼出音を聞いた住人が操作入力受付部６の応答釦を操作すれば、住戸機制御部１が音声処理部２ｃに通話のための音声信号処理を開始させる。その結果、ドアホン子器Ｂｉと住戸機Ａｉとの間で信号線Ｌｃを介して音声信号が送受信されることにより、来訪者と住人がドアホン子器Ｂｉと住戸機Ａｉを用いて通話（ドアホン通話）することができる。
【００２２】
ロビーインターホンＬＩは従来周知のものであって、図示は省略するが、来訪者を撮像する撮像手段と、マイクロホン及びスピーカと、来訪者が訪問先の住戸の住戸番号を入力するためのテンキースイッチと、音声情報や映像情報を幹線Ｌｓを通じてデジタル多重伝送する伝送手段などを具備している。すなわち、テンキースイッチが操作されて何れかの住戸の住戸番号の操作入力が受け付けられると、データフィールドに当該住戸番号を格納したパケットと、撮像手段で撮像した来訪者の映像（映像情報）をデータフィールドに格納したパケットが伝送手段より幹線Ｌｓを介して制御装置ＣＴのアドレス（プライベートなＩＰアドレス）宛に送信される。制御装置ＣＴは、各住戸の住戸機Ａｉに割り当てられているアドレス（プライベートなＩＰアドレス）と当該住戸の住戸番号との対応関係を記憶しており、ロビーインターホンＬＩから受け取ったパケットのデータフィールドに格納されている住戸番号を前記対応関係と照合してアドレスに変換し、当該アドレスを宛先アドレスフィールドに格納し且つロビーインターホンＬＩからの呼出を通知するための呼出コマンドをデータフィールドに格納したパケット並びに前記映像情報をデータフィールドに格納したパケットを幹線Ｌｓに送出する。
【００２３】
前記住戸番号の住戸に設置されている住戸機Ａｉでは、住戸線Ｌｄｉを介して住戸機Ｉ／Ｆ部７で前記パケットを受信すると、当該パケットのデータフィールドに格納されている呼出コマンドに応じて住戸機制御部１が音声処理部２ｃを制御してスピーカ２ｂから呼出音を鳴動させるとともに、データフィールドに格納されている映像情報を映像処理部４に処理させて表示部３に来訪者の映像を表示させる。呼出音を聞いた住人が操作入力受付部６の応答釦を操作すれば、住戸機制御部１が音声処理部２ｃに通話のための音声信号処理を開始させる。その結果、ロビーインターホンＬＩと住戸機Ａｉとの間でデータフィールドに音声情報並びに映像情報を格納したパケットを送受信することにより、来訪者と住人がロビーインターホンＬＩと住戸機Ａｉを用いて通話することができる。
【００２４】
また本実施形態の集合住宅用インターホンシステムは、制御装置ＣＴ、ロビーインターホンＬＩ、住戸機Ａｉ、ゲートウェイＧＷに各々プライベートなＩＰアドレスを付与することでＬＡＮ（ＩＰネットワーク）を構成しており、さらにゲートウェイＧＷを通じて広域ネットワークである専用回線網ＮＷ１に接続されている。つまり、住戸機Ａｉにおいては、ゲートウェイＧＷを介して専用回線網ＮＷ１に接続されているサーバ装置Ｓと通信することが可能であり、サーバ装置Ｓが保有しているウェブコンテンツを随時ダウンロードすることができる。但し、本実施形態ではゲートウェイＧＷを介して接続される広域ネットワークを専用回線網ＮＷ１としているが、専用回線網の代わりにインターネットＮＷ２などの公衆回線網を広域ネットワークとしても構わない。また、ゲートウェイＧＷの機能を制御装置ＣＴに持たせることも可能である。
【００２５】
一方、サーバ装置Ｓは集合住宅の管理を請け負う管理会社などによって運用され、顧客である集合住宅の各住戸の住人に対して種々のオンラインサービスを提供しており、かかるオンラインサービスの一つとして、管理会社によって作成されるウェブコンテンツを各住戸の住戸機Ａｉに配信している。サーバ装置Ｓが提供するウェブコンテンツは、例えば、個々の集合住宅専用の掲示板（電子掲示板）や、天気予報あるいは近隣で行われているデリバリサービスの案内などを行うウェブページなどである。具体的には、図３に示すように各集合住宅専用のホームページＨＰ、ホームページＨＰからリンクする掲示板のウェブページＷＰ１１，ＷＰ１２、同じくホームページＨＰからリンクする種々の生活情報のウェブページＷＰ２１，ＷＰ２２、などがＨＴＭＬファイルとしてサーバ装置Ｓの記憶装置（ハードディスク）に保存されている。但し、サーバ装置Ｓが保有するウェブコンテンツは、専用回線網ＮＷ１あるいはインターネットＮＷ２を介して管理会社のコンピュータ端末から追加や更新などが行われる。
【００２６】
ここで本実施形態においては、各住戸の住戸機Ａｉに対してサーバ装置Ｓから一部のウェブコンテンツを定期的あるいは追加や更新のあった後に配信しておき、各住戸機Ａｉの記憶部５に当該ウェブコンテンツを記憶している。そして、住戸機Ａｉの操作入力部６においてウェブコンテンツの閲覧を開始する操作入力が受け付けられると、住戸機制御部１が記憶部５に記憶されているウェブコンテンツを読み出し、住戸機制御部１が搭載しているウェブブラウザによって当該ウェブコンテンツを表示部３に表示させる。
【００２７】
ところで、近年では集合住宅の各住戸にインターネットに接続するための設備（例えば、スイッチングハブ、ＬＡＮケーブル、ＬＡＮコンセント＜モジュラジャック＞など）を予め（建設時に）配設した所謂インターネットマンションが普及している。本実施形態における集合住宅もかかるインターネットマンションに相当し、各住戸に配設されているＬＡＮコンセントにＬＡＮケーブルＬｘを介してルータＲｉ（ｉ＝１，２，…，ｎ）が接続され、当該ルータＲｉが有する複数のポートの一つにＬＡＮケーブルＬｘを介して住戸機ＡｉのネットワークＩ／Ｆ部８が接続されている。すなわち、住戸機Ａｉにおいては、幹線Ｌｓや住戸線Ｌｄｉを伝送路とするＬＡＮのアドレス（プライベートなＩＰアドレス）の他に、インターネットＮＷ２に接続することを目的として構築されているＬＡＮのアドレス（プライベートなＩＰアドレス）が割り当てられており、住戸線Ｉ／Ｆ部７によって住戸線Ｌｄｉ並びに幹線Ｌｓを介して通信する場合は前者のアドレスが使用され、ネットワークネットワークＩ／Ｆ部８によってインターネットＮＷ２を通じて通信する場合は後者のアドレスが使用される。尚、ルータＲｉの他のポートには、ネットワーク通信機能を有する情報家電機器（例えば、ネットワーク通信機能やウェブブラウザを搭載したテレビ受像機）Ｘｉ（ｉ＝１，２，…，ｎ）がＬＡＮケーブルＬｘを介して接続されており、住戸機Ａｉと情報家電機器Ｘｉとの間でＬＡＮケーブルＬｘ並びにルータＲｉを介して通信することが可能である。
【００２８】
次に、図４のシーケンス図を参照しながら、住戸機Ａｉでウェブコンテンツを閲覧する際の動作について説明する。尚、図４では説明を簡単にするため、図１のシステム構成図における１台のサーバ装置Ｓを、住戸機Ａｉが住戸線Ｉ／Ｆ部７により通信するサーバ装置（図４における左側のサーバ装置）と、住戸機ＡｉがネットワークＩ／Ｆ部８により通信するサーバ装置（図４における右側のサーバ装置）とに別々に記載している。
【００２９】
まず、幹線Ｌｓ並びに住戸線Ｌｄｉの帯域が確保し易い時間帯（例えば、深夜の時間帯）にサーバ装置Ｓから専用回線網ＮＷ１を介して各住戸機Ａｉにウェブコンテンツが配信され（Ｓ１）、各住戸機Ａｉにおいては、サーバ装置Ｓから配信されたウェブコンテンツを住戸機制御部１が記憶部５に記憶する（Ｓ２）。そして、住戸機Ａｉの操作入力部６においてウェブコンテンツの閲覧を開始する操作入力が受け付けられると（Ｓ３）、住戸機制御部１が記憶部５に記憶されているウェブコンテンツ（ホームページＨＰ）を読み出してウェブブラウザにより表示部３に表示させる（Ｓ４）。
【００３０】
続いて、現在表示されているウェブコンテンツ（ホームページＨＰ）における何れかのリンク先を選択する操作入力が操作入力受付部６で受け付けられると（Ｓ５）、住戸機制御部１は、選択されたリンク先のＵＲＬが記憶部５に記憶しているウェブコンテンツの格納場所に一致していれば、記憶部５に記憶されているウェブコンテンツの格納場所からリンク先のウェブページを読み出してウェブブラウザにより表示部３に表示させる（Ｓ６）。
【００３１】
また、ウェブコンテンツ（ホームページＨＰ）における何れかのリンク先を選択する操作入力が操作入力受付部６で受け付けられ（Ｓ７）、選択されたリンク先のＵＲＬがサーバ装置Ｓにおけるウェブコンテンツの保存場所を示すものであれば、住戸機制御部１は、当該リンク先のＵＲＬに対して当該ウェブコンテンツ（ウェブページ）の配信を要求するパケットをネットワークＩ／Ｆ部８より送信させる（Ｓ８）。このパケットは、幹線Ｌｓ及び住戸線Ｌｄｉではなく、ＬＡＮケーブルＬｘを介してインターネットＮＷ２経由でサーバ装置Ｓに届く。サーバ装置Ｓでは住戸機Ａｉから配信要求を受け取ると、要求されたウェブコンテンツを専用回線網ＮＷ１ではなく、インターネットＮＷ２経由で要求元の住戸機Ａｉに宛てて配信する（Ｓ９）。そして、住戸機制御部１は、サーバ装置Ｓから配信されたウェブコンテンツ（ウェブページ）をウェブブラウザにより表示部３に表示させる（Ｓ１０）。
【００３２】
而して、幹線Ｌｓ及び住戸線Ｌｄｉを介して専用回線網ＮＷ１経由でサーバ装置Ｓからウェブコンテンツを配信した場合、例えば、他の住戸の住戸機ＡｉとロビーインターホンＬＩとの間で通話が行われていると十分な帯域が確保できずにウェブコンテンツの配信に多大な時間を要してしまう。これに対して、上述のように幹線Ｌｓ及び住戸線Ｌｄｉを介さずにインターネットＮＷ２経由でサーバ装置Ｓからウェブコンテンツを配信すれば、例え他の住戸の住戸機ＡｉとロビーインターホンＬＩとの間で通話が行われていたとしても、ウェブコンテンツの配信を短時間で行うことができる。
【００３３】
しかしながら、住戸の住人がＩＳＰ（インターネット・サービス・プロバイダ）と契約していない場合や、あるいはＩＳＰと契約していても何らかの障害によってインターネット接続サービスを利用できない場合がある。
【００３４】
そこで本実施形態における住戸機Ａｉでは、ウェブコンテンツ（ホームページＨＰ）における何れかのリンク先を選択する操作入力が操作入力受付部６で受け付けられ（Ｓ１１）、選択されたリンク先のＵＲＬがサーバ装置Ｓにおけるウェブコンテンツの保存場所を示すものであるとき、住戸機制御部１がネットワークＩ／Ｆ部８による通信が不能であると判断すれば、リンク先のＵＲＬに対してウェブコンテンツ（ウェブページ）の配信を要求するパケットを住戸線Ｉ／Ｆ部７より送信させる（Ｓ１２）。このパケットは、幹線Ｌｓ及び住戸線Ｌｄｉから専用回線網ＮＷ１経由でサーバ装置Ｓに届く。サーバ装置Ｓでは住戸機Ａｉから配信要求を受け取ると、要求されたウェブコンテンツを専用回線網ＮＷ１経由で要求元の住戸機Ａｉに宛てて配信する（Ｓ１３）。そして、住戸機制御部１は、サーバ装置Ｓから配信されたウェブコンテンツ（ウェブページ）をウェブブラウザにより表示部３に表示させる（Ｓ１４）。
【００３５】
而して本実施形態によれば、何らかの原因でネットワークＩ／Ｆ部８がウェブコンテンツを取得できない（通信できない）場合に住戸線Ｉ／Ｆ部７によって当該ウェブコンテンツを取得するので、ウェブコンテンツが表示できないという事態を回避して使い勝手が向上するという利点がある。
【００３６】
次に、図５のシーケンス図を参照しながら、情報家電機器Ｘｉでウェブコンテンツを閲覧する際の動作について説明する。
【００３７】
まず、幹線Ｌｓ並びに住戸線Ｌｄｉの帯域が確保し易い時間帯にサーバ装置Ｓから専用回線網ＮＷ１を介して各住戸機Ａｉにウェブコンテンツが配信され（Ｓ１）、各住戸機Ａｉにおいては、サーバ装置Ｓから配信されたウェブコンテンツを住戸機制御部１が記憶部５に記憶する（Ｓ２）。そして、情報家電機器Ｘｉにおいてウェブコンテンツの閲覧を開始する操作入力が受け付けられると（Ｓ３）、当該情報家電機器Ｘｉに搭載されているウェブブラウザが住戸機Ａｉに対してウェブコンテンツの配信を要求するパケットを送信する（Ｓ４）。当該パケットを受け取った住戸機Ａｉの住戸機制御部１は、住戸機制御部１に搭載されているウェブサーバにより、記憶部５に記憶されているウェブコンテンツ（ホームページＨＰ）を読み出し（Ｓ５）、当該ウェブコンテンツを配信要求元の情報家電機器Ｘｉに配信する（Ｓ６）。情報家電機器Ｘｉのウェブブラウザは、住戸機Ａｉのウェブサーバから配信されたウェブコンテンツを画面に表示させる（Ｓ７）。
【００３８】
続いて、現在表示されているウェブコンテンツ（ホームページＨＰ）における何れかのリンク先を選択する操作入力が情報家電機器Ｘｉで受け付けられると（Ｓ８）、情報家電機器Ｘｉのウェブブラウザは選択されたリンク先のＵＲＬに対してウェブコンテンツの配信を要求するパケットを送信する（Ｓ９）。当該パケットを受け取った住戸機Ａｉの住戸機制御部１は、リンク先のＵＲＬが記憶部５に記憶しているウェブコンテンツの格納場所に一致していれば、記憶部５に記憶されているウェブコンテンツの格納場所からリンク先のウェブページを読み出し（Ｓ１０）、当該ウェブコンテンツを配信要求元の情報家電機器Ｘｉに配信する（Ｓ１１）。情報家電機器Ｘｉのウェブブラウザは、住戸機Ａｉのウェブサーバから配信されたウェブコンテンツを画面に表示させる（Ｓ１２）。
【００３９】
また、ウェブコンテンツ（ホームページＨＰ）における何れかのリンク先を選択する操作入力が情報家電機器Ｘｉで受け付けられ（Ｓ１３）、情報家電機器Ｘｉのウェブブラウザが選択されたリンク先のＵＲＬに対してウェブコンテンツの配信を要求するパケットを送信し（Ｓ１４）、当該リンク先のＵＲＬがサーバ装置Ｓにおけるウェブコンテンツの保存場所を示すものである場合、住戸機制御部１は、当該リンク先のＵＲＬに対して当該ウェブコンテンツ（ウェブページ）の配信を要求するパケットをネットワークＩ／Ｆ部８より送信させる（Ｓ１５）。このパケットは、幹線Ｌｓ及び住戸線Ｌｄｉではなく、ＬＡＮケーブルＬｘを介してインターネットＮＷ２経由でサーバ装置Ｓに届く。サーバ装置Ｓでは住戸機Ａｉから配信要求を受け取ると、要求されたウェブコンテンツを専用回線網ＮＷ１ではなく、インターネットＮＷ２経由で要求元の住戸機Ａｉに宛てて配信する（Ｓ１６）。そして、住戸機制御部１は、サーバ装置Ｓから配信されたウェブコンテンツ（ウェブページ）を配信要求元の情報家電機器Ｘｉに配信する（Ｓ１７）。情報家電機器Ｘｉのウェブブラウザは、住戸機Ａｉのウェブサーバから配信されたウェブコンテンツを画面に表示させる（Ｓ１８）。但し、住戸の住人がＩＳＰと契約していない場合や、あるいはＩＳＰと契約していても何らかの障害によってインターネット接続サービスを利用できない場合においては、インターネットＮＷ２経由ではなく、幹線Ｌｓ及び住戸線Ｌｄｉから専用回線網ＮＷ１を経由してサーバ装置Ｓからウェブコンテンツを受け取ればよい。
【００４０】
而して本実施形態によれば、住戸機向けのウェブコンテンツが当該住戸機ＡｉのネットワークＩ／Ｆ部８からＬＡＮケーブルＬｘを介して情報家電機器Ｘｉに配信されるので、情報家電機器Ｘｉが当該ウェブコンテンツを保有するサーバ装置Ｓに直接アクセスしなくても、情報家電機器Ｘｉにて住戸機向けのウェブコンテンツを取得して表示することができる。
【符号の説明】
【００４１】
Ａｉ  住戸機
ＬＩ  ロビーインターホン（共同玄関子機）
ＧＷ  ゲートウェイ（ネットワーク機器）
Ｘｉ  情報家電機器
ＮＷ１  専用回線網（広域ネットワーク）
ＮＷ２  インターネット（広域ネットワーク）
Ｌｓ  幹線
Ｌｄｉ  住戸線
Ｌｘ  ＬＡＮケーブル（通信線）
【図１】
2010177818.tif 000003
【図２】
2010177818.tif 000004
【図３】
2010177818.tif 000005
【図４】
2010177818.tif 000006
【図５】
2010177818.tif 000007